【手続補正書】
【提出日】平成27年7月9日(2015.7.9)
【手続補正１】
【補正対象書類名】特許請求の範囲
【補正対象項目名】全文
【補正方法】変更
【補正の内容】
【特許請求の範囲】
【請求項１】
表示パネルと、
前記表示パネルを取り囲むとともに開口部を有した筐体と、
前記開口部内に位置された導光部材と、
前記導光部材から前記開口部に向けて突出された突出部と、
前記筐体の内側から前記導光部材に光を供給し、前記突出部から外界に向けて光が照射される光源と、
前記光源に所定量の電流を流して前記突出部の全体を光らせる第１モードと、前記光源に前記第１モードよりも少量の電流を流して前記突出部の一部を光らせる第２モードと、
に切替え可能な電源ユニットと、
を備える電子機器。
【請求項２】
前記導光部材に重なって設けられ、前記導光部材の一部を覆うマスキング部材をさらに備え、
前記突出部が、前記マスキング部材の周囲に位置する請求項１に記載の電子機器。
【請求項３】
前記突出部の表面には、前記突出部に到達した光の一部を透過させるとともに、前記突出部に到達した光の他の部分を反射させる被膜が設けられる請求項１又は２に記載の電子機器。
【請求項４】
前記導光部材の中央部の近傍に設けられた第１壁部と、
前記導光部材の外周部の近傍に設けられた第２壁部と、
前記第１壁部と前記第２壁部との間に保持されるとともに、前記光源が実装された基板と、
を備え、
前記光源と前記第１壁部との間の距離は、前記光源と前記第２壁部との間の距離よりも大きい請求項１乃至３のいずれか一項に記載の電子機器。
【請求項５】
開口部を有した筐体と、
前記開口部内に位置された導光部材と、
前記導光部材から前記開口部に向けて突出された突出部と、
前記筐体の内側から前記導光部材に光を供給する光源と、
前記導光部材の中央部の近傍に設けられた第１壁部と、
前記導光部材の外周部の近傍に設けられた第２壁部と、
を備え、
前記光源は、前記第１壁部と前記第２壁部との間に保持されるとともに、前記光源と前記第１壁部との間の距離は、前記光源と前記第２壁部との間の距離よりも大きい電子機器。
【請求項６】
表示パネルと、
前記表示パネルを取り囲むとともに開口部を有した筐体と、
前記開口部内に位置された導光部材と、
前記導光部材から前記開口部に向けて突出された突出部と、
前記筐体の内側から前記導光部材に光を供給し、前記突出部から外界に向けて光が照射される光源と、
前記光源に所定量の電流を流して前記突出部の全体を光らせる第１モードと、前記光源に前記第１モードよりも少量の電流を流して前記突出部の一部を光らせる第２モードと、
に切替え可能な電源ユニットと、
を備え、
前記光源は、前記突出部の背後で、前記表示パネルから最も離れた位置に設けられる電子機器。
【請求項７】
表示パネルと、
前記表示パネルの周囲に設けられ、突出部を有する導光部材と、
前記導光部材に光を供給し、前記突出部から外界に向けて光が照射される光源と、
前記光源に所定量の電流を流して前記突出部の全体を光らせる第１モードと、前記光源に前記第１モードよりも少量の電流を流して前記突出部の一部を光らせる第２モードと、
に切替え可能な電源ユニットと、
を備え、
前記光源は、前記突出部に背後から対向するとともに前記表示パネルから遠ざかる位置に設けられる電子機器。
【手続補正２】
【補正対象書類名】明細書
【補正対象項目名】発明の名称
【補正方法】変更
【補正の内容】
【発明の名称】電子機器
【手続補正３】
【補正対象書類名】明細書
【補正対象項目名】０００５
【補正方法】変更
【補正の内容】
【０００５】
実施形態の電子機器は、表示パネルと、前記表示パネルを取り囲むとともに開口部を有した筐体と、前記開口部内に位置された導光部材と、前記導光部材から前記開口部に向けて突出された突出部と、前記筐体の内側から前記導光部材に光を供給し、前記突出部から外界に向けて光を照射する光源と、前記光源に所定量の電流を流して前記突出部の全体を光らせる第１モードと、前記光源に前記第１モードよりも少量の電流を流して前記突出部の一部を光らせる第２モードと、に切替え可能な電源ユニットと、を備える。
【手続補正４】
【補正対象書類名】明細書
【補正対象項目名】００１０
【補正方法】変更
【補正の内容】
【００１０】
図１から図３に示すように、筐体２１は、表示パネル３１の前方を覆うとともに枠状をなした第１マスキング部材３５（フロントカバー）と、第１マスキング部材３５を支持するとともに補強する支持部材３６と、第１マスキング部材３５の角部の近傍に設けられた開口部３７と、リモコン受光レンズ３８と、表示パネル３１の後方を覆うバックカバー４１と、を有している。言い換えると、筐体２１は、表示パネル３１の周囲を取り囲んでいる。また、筐体２１は、表示パネル３１を外界に露出させる露出部２６を有する。
【手続補正５】
【補正対象書類名】明細書
【補正対象項目名】００１１
【補正方法】変更
【補正の内容】
【００１１】
図２、図３に示すように、表示部１２は、さらに、開口部３７内に一部が位置されるように第１マスキング部材３５に取り付けられた導光部材２２と、導光部材２２の一部を覆った第２マスキング部材２３（マスキング部材）と、を備えている。第２マスキング部材２３は、円盤状をなしており、導光部材２２の中央部分に重なって配置されている。
【手続補正６】
【補正対象書類名】明細書
【補正対象項目名】００１３
【補正方法】変更
【補正の内容】
【００１３】
導光部材２２は、円盤形をなした板状部４２と、板状部４２から環状に突出した突出部４３と、突出部４３の頂面を覆う被膜４４と、を有している。板状部４２および突出部４３は、一体に成形されている。突出部４３は、環状をなして第２マスキング部２３の周囲に位置しているが、環の一部が途切れていても良い。
【手続補正７】
【補正対象書類名】明細書
【補正対象項目名】００１４
【補正方法】変更
【補正の内容】
【００１４】
被膜４４は、いわゆるハーフミラー状に形成されている。被膜４４は、導光部材２２内部（或いは光源２４）から被膜４４に向けて照射された光の一部を外界に向けて透過させるとともに、導光部材２２内部（或いは光源２４）から被膜４４に向けて照射された光の他の部分を導光部材２２内部に向けて反射できる。被膜４４は、金属製の薄膜であり、例えばアルミニウムで形成されている。この被膜４４に使用できる金属は、アルミニウムに限定されるものではなく、例えば、ニッケルクロムやスズ等でもよいし、それ以外の金属でもよい。被膜４４は、例えばホットスタンプで突出部４３に接着される。
【手続補正８】
【補正対象書類名】明細書
【補正対象項目名】００２７
【補正方法】変更
【補正の内容】
【００２７】
この構成によれば、電流の量を調整するだけで、第１モードと第２モードとの間で突出部４３の表示モードを変更することができる。これによって、簡単な構造で２つのモードのイルミネーション効果を発揮可能な映像表示装置１１を提供できる。また、導光部材２２は、板状をなしているため、リング形の導光部材を利用する場合に比べて、中央部分を光の伝達に利用できるため、光の伝達性を良好にできる。これによって、第１モードの際に、光源２４から遠い位置でも明るく照らすことができる。
【手続補正９】
【補正対象書類名】明細書
【補正対象項目名】００３０
【補正方法】変更
【補正の内容】
【００３０】
また、映像表示装置１１は、導光部材２２の中央部の近傍に設けられた第１壁部４５と、導光部材２２の外周部の近傍に設けられた第２壁部４６と、第１壁部４５と第２壁部４６との間に保持されるとともに、光源２４が実装された光源用基板３４と、を備え、光源２４と第１壁部４５との間の距離は、光源２４と第２壁部４６との間の距離よりも大きい。
【手続補正１０】
【補正対象書類名】明細書
【補正対象項目名】００３４
【補正方法】変更
【補正の内容】
【００３４】
具体的には、光源２４（ＬＥＤ）は、上面発光タイプのものではなく、例えば全方向照射タイプのＬＥＤを用いることもできる。また、光源２４（ＬＥＤ）の電極脚を所定角度に折り曲げて、導光部材２２を横切る方向と導光部材２２に沿った方向の両方向に光を照射できるように光源（ＬＥＤ）２４を設置してもよい。さらに、上記実施形態では、第２マスキング部材２３が配置されているが、第２マスキング部材２３に代えて、薄型のスイッチやユーザの指等の接触を感知可能なセンサ等を配置してマスキングの代わりにしてもよい。
【手続補正１１】
【補正対象書類名】明細書
【補正対象項目名】００３５
【補正方法】変更
【補正の内容】
【００３５】
さらに、上記実施形態に開示されている複数の構成要素の適宜な組み合わせにより種々の発明を形成できる。例えば、実施形態に示される全構成要素から幾つかの構成要素を削除してもよい。更に、異なる実施形態に亘る構成要素を適宜組み合わせてもよい。
以下に、本願出願の当初の特許請求の範囲に記載された発明を付記する。 
［１］表示パネルと、前記表示パネルを取り囲むとともに開口部を有した筐体と、前記開口部内に位置された導光部材と、前記導光部材から前記開口部に向けて突出された突出部と、前記筐体の内側から前記導光部材に光を供給し、前記突出部から外界に向けて光を照射する光源と、前記光源に所定量の電流を流して前記突出部の全体を光らせる第１モードと、前記光源に前記第１モードよりも少量の電流を流して前記突出部の一部を光らせる第２モードと、に切替え可能な電源ユニットと、を備える電子機器。
［２］前記光源は、前記突出部と重なる位置で、前記表示パネルから最も離れた位置に設けられる［１］に記載の電子機器。 
［３］前記導光部材に重なって設けられ、前記導光部材の一部を覆うマスキング部材をさらに備え、前記突出部が、前記マスキング部材の周囲に位置する［１］又は［２］に記載の電子機器。 
［４］前記突出部の表面には、前記突出部に到達した光の一部を透過させるとともに、前記突出部に到達した光の他の部分を反射させる被膜が設けられる［１］乃至［３］のいずれか一つに記載の電子機器。 
［５］前記導光部材の中央部の近傍に設けられた第１壁部と、前記導光部材の外周部の近傍に設けられた第２壁部と、前記第１壁部と前記第２壁部との間に保持されるとともに、前記光源が実装された基板と、を備え、前記光源と前記第１壁部との間の距離は、前記光源と前記第２壁部との間の距離よりも大きい［１］乃至［４］のいずれか一つに記載の電子機器。
［６］開口部を有した筐体と、前記開口部内に位置された導光部材と、前記導光部材から前記開口部に向けて突出された突出部と、前記筐体の内側から前記導光部材に光を供給する光源と、前記導光部材の中央部の近傍に設けられた第１壁部と、前記導光部材の外周部の近傍に設けられた第２壁部と、を備え、前記光源は、前記第１壁部と前記第２壁部との間に保持されるとともに、前記光源と前記第１壁部との間の距離は、前記光源と前記第２壁部との間の距離よりも大きい電子機器。
［７］開口部を有した筐体と、前記開口部内に位置された導光部材と、前記導光部材に重なって設けられた突出部と、前記筐体の内側から前記導光部材に光を供給し、前記突出部から外界に向けて光を照射する光源と、前記光源に所定量の電流を流して前記突出部の全体を光らせる第１モードと、前記光源に前記第１モードよりも少量の電流を流して前記突出部の一部を光らせる第２モードと、に切替え可能な電源ユニットと、を備えるイルミネーション装置。
【手続補正１２】
【補正対象書類名】明細書
【補正対象項目名】００３６
【補正方法】変更
【補正の内容】
【００３６】
１１…映像表示装置、１２…表示部、２１…筐体、２２…導光部材、２３…第２マスキング部材、２４…光源、２５…電源回路基板、３１…表示パネル、３４…光源用基板、３７…開口部、４３…突出部、４４…被膜、４５…第１壁部、４６…第２壁部